(57)【要約】【課題】火災検知部を外部から目立ちにくくしながら性能と操作性の良好な感震ライト付き火災報知器を得る。【解決手段】感震ライト付き火災報知器１はケースから煙感知器７が露出しており、この煙感知器の上端をカバー４が覆っている。カバー４は長楕円形でその一端側の支持部４Ａによって片持ち梁状に支持されており、煙感知器の側面にはかからない。またカバーの支持部寄りに設けられた可撓部４Ｆ近傍に竿状のスイッチ駆動部４Ｅを設け、カバーの先端を押圧することで可撓部を支点として撓むカバーの角度変化をスイッチ駆動部先端で変位として拡大する。カバーをスイッチ駆動部としたことで、動作確認などにおける操作位置が判りやすくなる。またカバーを片持ち梁状としたことで、煙感知器の外気導入部となる周縁部の構造物は最小限となり外気の流れを妨げない。【選択図】        図３
2007114813.tif 000002
【特許請求の範囲】
【請求項１】
ケース内に火災検知部と感震器を配置し、
火災の発生時には警報を発するとともに地震の発生時には所定の時間にわたりライトを点灯する感震ライト付き火災報知器であって、
火災検知部は外気導入部分をケースの開口部から突出しており、
その突出部端面を覆うようにカバーが設置され、
このカバーはメッキなどの光沢処理をされるとともに逆円錐状にくぼみをつけた中に電球やＬＥＤなどを配置した発光部が設けられ、
このカバーを片持ち梁状として火災検知部に対して一方向で且つ充分に離れた位置において支える構造としたことを特徴とする感震ライト付き火災報知器。
【請求項２】
カバーの一部がそれを押すことによってテスト動作を行なうためのスイッチ駆動部となっていることを特徴とする請求項１に記載の感震ライト付き火災報知器。
【請求項３】
カバーの変位時における支点が火災検知部に対して支持部側に位置しており、
スイッチ駆動部はこの支点付近からカバーの面にほぼ直角方向に伸ばされた竿状部であり、
カバー押圧時の角度変化を竿状部先端付近で変位として拡大してスイッチを操作することを特徴とする請求項２に記載の感震ライト付き火災報知器。
【請求項４】
カバーの片持ち梁状の支持部に感震ライトの発光部が配置されていることを特徴とする請求項１ないし３のいずれか１項に記載の感震ライト付き火災報知器。
【発明の詳細な説明】
【技術分野】
【０００１】
本発明は天井や壁に取り付けられる火災報知器と感震ライトを一体にした防災器具に関するものであり、その装飾性と使いやすさを両立した警報装置を提供するものである。
【背景技術】
【０００２】
従来、煙や熱などに反応する火災報知器と、地震の振動によって非常灯をともす感震ライト機能を加えたものがそれぞれ各種提案されている。特に火災報知器は店舗やホテル、学校、オフィスなどのような天井の高い公共空間に取り付けられることを前提にしたものが多く、目立たないように天井と色を合わせることが一般的になっている。またこれらは建築時に埋め込み設置される集中管理システムのセンサー部分だけであることから突出量も比較的小さいためさらに目立ちにくく、そのデザインも機能優先の事務的なものが多かった。一方、感震ライトはコンセントに直接差し込むものや据え置き型が提案されているが、取付けの容易さなどを優先して天井などの高い位置に固定するものはほとんどみられない。そのためライトの近辺は照らされるものの、照射範囲が狭くなりがちで非常灯としては不充分な点がある。また照明のソケットに取り付ける感震ライトもあるが、照明機器自体が障害物となってライトからの光が充分に広がらないと言う問題があった。
【０００３】
近時、家庭用の火災報知器の設置の必要性が言われているが、家庭において火災報知器を設置すると、一般的に前述したような公共空間と比較して天井が低いため、火災報知器の姿が目に付きやすい。さらに多くは電源・検知器・警報装置を一体にした配線不要のいわゆる後付け型であるために比較的大型化し、また面倒な天井への埋め込み工事などを省いて直接取り付けるようにしているのでさらに突出部が減らせないという問題がある。さらにこの火災報知器に感震ライト機能を組み込むとより大型化してしまうため、この二つの装置の一体化は従来行なわれていなかった。
【０００４】
【特許文献１】特開２００２-００８１５８
【特許文献２】特開平８−２２８４４２
【発明の開示】
【発明が解決しようとする課題】
【０００５】
家庭用の火災報知器は生活においてその存在に気付きにくくするために、普段は目に付きにくいように照明機器などの影に隠れるように配置したり、逆に色や形状を工夫してインテリアのひとつとして認識されるようなデザインとしたりするなどの工夫が求められている。
【０００６】
しかし火災報知器を何かの影に置く場合には火災報知器への煙や熱の流れを阻害しない位置になるように留意する必要があり、また最近は照明機器が天井に埋め込まれている場合もあり火災報知器を隠す部分がないことも多い。特に火災報知器と感震ライトを一体にする場合には大型化するだけでなく、ライト部分が隠れてしまうと必要な範囲に投光できないと言う問題がある。
【０００７】
そこで装置が見えることを前提としてデザインを優先する場合、煙や熱を検知する部分が直接見えないようにカバーを被せると反応速度の低下の原因となる場合がある。つまりカバーが検知部を覆うことになるため、煙や熱を伴った外気が検知部へ導入されるのを妨げることになり火災発生時における反応時間が低下する可能性があった。
【０００８】
さらにデザイン上はスイッチ類の配置が邪魔になる場合がある。例えば火災報知器においては常に監視を続ける必要があるので、電源を一度入れてしまえば電源スイッチの操作は不要である。その一方で装置が電池により駆動される場合には、動作や電池容量を確認するためのテストを必要とするが、ケース上にテストスイッチを設ける場合にはスイッチが大きく目立つと操作性はいいがデザインに影響を及ぼし、逆にデザインに影響を与えないように小さくすると操作が難しくなると言う問題があった。特に天井や壁に取り付けた後には装置が手元にないため、スイッチが小さい場合や普段目に付きにくい位置に配置した場合には、スイッチの位置がわかりにくく操作がより困難になるという問題があった。
【０００９】
さらに火災報知器と感震ライトを一体化するために機能を集約し小型化する工夫が求められている。
【課題を解決するための手段】
【００１０】
そこで本発明においては、表面上を覆う形でケースを構成するカバーを片持ち梁形状とし、火災検知部に対して一方向で且つ充分に離れた位置でケース上に保持固定するようにした。またカバーの一部をスイッチ駆動部とし、さらにこのスイッチ駆動部をカバーの角度変化を変位として拡大する機構とすることで装飾性だけでなく操作性と機能性の両立を実現した。またカバーの支持部に感震ライトの発光部を配置して装置全体を小型化した。
【発明の効果】
【００１１】
片持ち梁形状としたカバーを火災検知部から充分に離れた位置で支えることにより、カバーは火災検知部の端面だけを覆う状態となり、火災検知部の外気導入部である外周面の近くに配置される構造体は最小限とされ、外気は妨げられることなく検知部内に導入される。またカバーの一部を動作テスト用のスイッチ駆動部としたことで、特に天井などに取り付けた場合にもスイッチ部を手探りで探ることなく容易かつ確実に操作できるようになる。
【００１２】
さらにカバー押圧変位時における支点付近からカバーの面に対してほぼ直角方向に伸ばされた竿状部をスイッチ駆動部としたことで、カバーの先端に駆動部を設けなくてもスイッチを駆動するための充分な変位が得られる。そのため火災検知部の外気導入部である周縁部に構造物を増やさないですむ。またカバーの支持部に感震ライトの発光部を設けたことで、限られた投影面内に必要な機能を効率よく配置することができる。
【発明を実施するための最良の形態】
【００１３】
装置のケースを構成するカバーを長楕円形にし、その一端側を火災検知部から充分に離れたところで片持ち梁状に支える構造としたことにより、火災検知部の外気導入部である外周面に近接する障害物が最小限にされる。さらにカバーの一部を可動構造として操作によってカバーに設けられたスイッチ駆動部が動くようにし、このカバーの動作と連動してスイッチが操作される。
【実施例１】
【００１４】
以下、図を参照しながら本発明の感震ライト付き火災報知器（以下、火災報知器と記す）について説明する。図１はこの火災報知器の取付状態の一例を示す俯瞰図であり、図２に平面図、図３に正面図、図４に側面図を示す。さらに図５には火災報知器のケースを開いた状態の側面図を、また図６には正面方向から見た縦断面図を示す。
【００１５】
この火災報知器１はプラスチックス製のベース２とボディ３によってケースを構成し、さらにケースの開口部分を覆う長楕円形のカバー４が設けられている。この火災報知器１は容器のベース底面２Ａを図１の俯瞰図のように部屋の天井に取り付けたり、または壁面に取り付けたりするものであり、使用時には底面を上または横にした姿勢で取り付けられる。本実施例については天井に取り付けるものを例としており、例えばベース底面２Ａを貫通した取付孔を通してネジなどによって天井に固定する。
【００１６】
実施例においてはベース２内に電源である電池５が配置されており、ベースの開口部を覆うボディ３にはプリント基板６が固定され、このプリント基板６の図示上面に火災検知部である煙感知器７とブザー８が、またプリント基板下面には感震器９が倒立状態で配置固定されている。この感震器９は火災報知器１を正規姿勢とした際に正規姿勢となるように配置されており、例えば火災報知器が壁に垂直に取り付けられるものの場合には基板と平行に取り付けられる。またボディ３はベース２に対してヒンジ３Ｂで片持ち状に開く構造とされており、ベースの反対側に設けられた係止部２Ｂの先端がボディ３の内側に設けられた係止溝（図示せず）に弾性的に係合される。
【００１７】
火災検知部である煙感知器７はボディ３に設けられた貫通孔３Ａから外部に露出しており、煙感知器内部への外気導入部を有する外周面を露出しており、設置場所で煙が発生した場合にその煙が速やかに内部へと取り込まれるようにされている。さらにボディ３には煙感知器の端面を含む開口部周辺を上から覆うようにカバー４が設置されている。ただしカバー４はボディ３の表面とは充分に離されており、前記煙感知器７の煙導入部分である外周面は覆われることなく外気にさらされている。
【００１８】
このカバー４は長楕円形状をしており、その一端側に設けられた取付部４Ａをボディ３に差し込み固定されている。取付部４Ａの先端は抜け止めのための返しがついた形状になっており、カバーに差し込まれることで固定される。また本実施例では取付部の側面に板状部４Ｄが一体に設けられ、ボディ３の取付穴の脇に設けられた切込みにこの板状部が差し込まれることで、カバー４が回転してしまうことが防止される。また長楕円形状のカバー４を一端側の取付部で固定し、カバー全体は片持ち梁状にして煙感知器７の端面を覆うようにしたことで、煙感知器の外気導入部を有する外周面近傍の障害物はカバー支持部側の一方向のみに集中しており、他の方向は障害物をなくすことができる。さらに取付部４Ａと煙感知器７との距離を充分に離す事により支持部による影響も最小限にされ、火災検知部である煙感知器７への外気の導入を妨げることなく火災発生時には煙を速やかに検出できる。
【００１９】
またこの取付部４Ａのカバー表面側には逆円錐状にくぼみをつけた中に感震ライトの電球やＬＥＤなどを配置した発光部４Ｂが設けられている。カバー４の表面には光沢メッキが施されており、発光部４Ｂの円錐面が反射面となることで電球などの光がその正面方向に対して効率的に照射されるようになっている。そのため夜間に地震の発生した時には確実にライトによって室内の広い個所を照らすことができる。
【００２０】
カバー４の中央付近にはカバーに連動して動くスイッチ駆動部である操作棒４Ｅが設けられている。この操作棒４Ｅはカバー４の平面に対してほぼ直角に伸びた竿状部とされており、その先端はボディ３に差し込まれている。またカバー４は、この操作棒４Ｅよりも取付部４Ａ寄りの位置に周囲よりも薄くされ可撓性を持たせた可撓部４Ｆが構成され、操作面４Ｇを押圧した際にはこの可撓部４Ｆを支点にしてカバー４がしなり、そのときの角度変化によって連動する操作棒４Ｅ先端の変位は拡大され、押圧方向と９０度の角度で配置された基板上のテストスイッチ１０を駆動する。本発明によればカバー４の広い面を操作面４Ｇとしたことにより、特に天井や壁などの手の届きにくい位置に配置した場合にも操作スイッチを手探りで探すようなことなく確実に動作させることができる。
【００２１】
例えばここでスイッチ駆動部の配置場所は火災検知部を越えたカバー４の先端付近としてもよく、またカバー全体を押し込むようにしてスイッチを駆動する構造としてもよい。しかしスイッチ駆動部をカバーの先端に設けた場合にはカバーがしなったときの変位量は大きくなるものの、火災検知部の周縁部に対する構造物が増えることになり、検知部への外気導入に影響を及ぼす可能性がある。またカバー全体を押し込む構造とする場合には、カバー４の支持部である取付部４Ａにおいて弾性的に保持する構造とする必要があるとともに、カバーのどの位置を押しても操作部に同様の力または変位が与えられるように操作時の傾きなどを減らす構造とする必要もある。
【００２２】
それに対して本実施例においてはカバーの変位時における支点を火災検知部に対して支持部側に配置し、スイッチ駆動部をこの支点付近からカバーの面にほぼ直角方向に伸ばしたことで、火災検知部に対する構造物を支持部側に集中させることができ、また竿状のスイッチ駆動部が変位の拡大機構となることでスイッチを確実に駆動することができる。またカバーの支持部保持のために特別な部品の追加などは必要なく、シンプルな部品構成とすることができる。
【００２３】
本実施例においてはカバーの操作面４Ｇにはくぼみを設け、発光部４Ｂと意匠としての統一性を図るとともに、操作位置となる押圧部分を判りやすくしている。なお、この実施例ではカバー４を弾性的に曲げる構造のものを例としたが、例えばカバーが取付部４Ａを支点として弾性的に傾動するようにされるならば可撓部４Ｆを設ける必要はないことは言うまでもない。
【産業上の利用可能性】
【００２４】
本発明によれば火災検知部を覆いながら周囲の外気導入部に近接する障害物を最小限にすることで、デザインと検知性能を両立することができる。またテストスイッチなどの操作部をカバーそのものとしたことで、直感的にわかりやすく且つ良好な操作性を得ることができる。また火災報知器と感震ライトを一体にして天井などの高い位置に配置することにより火災の検知はもちろん、夜間の地震発生時などにも確実に広い範囲を照らすことで暗闇での不安を緩和し適切な行動を促すことができる。
【図面の簡単な説明】
【００２５】
【図１】本発明の感震ライト付き火災報知器の取付状態の一例を示す俯瞰図
【図２】図１の感震ライト付き火災報知器の平面図
【図３】図１の感震ライト付き火災報知器の正面図
【図４】図１の感震ライト付き火災報知器の側面図
【図５】図１の感震ライト付き火災報知器のケースを開いた状態を示す側面図
【図６】図１の感震ライト付き火災報知器の縦断面図
【符号の説明】
【００２６】
１：感震ライト付き火災報知器
２：ベース
３：ボディ
３Ａ：貫通孔
４：カバー
４Ａ：取付部（支持部）
４Ｂ：発光部
４Ｅ：操作棒（竿状部）
４Ｆ：可撓部（支点）
６：プリント基板
７：煙感知器（火災検知部）
８：ブザー
９：感震器
【図１】
2007114813.tif 000003
【図２】
2007114813.tif 000004
【図３】
2007114813.tif 000005
【図４】
2007114813.tif 000006
【図５】
2007114813.tif 000007
【図６】
2007114813.tif 000008